(57)【特許請求の範囲】
【請求項１】
フード部を有し雄側端子金具がそのタブを前記フード部内に突出させた状態で収容された雄ハウジングと、前記フード部内に嵌合可能で雌側端子金具が収容された雌ハウジングと、前記雄側端子金具のタブが貫通される保持孔が複数開口され前記フード部内に前記両ハウジングの嵌合方向に沿って移動可能に挿入されたムービングプレートとを具備したコネクタにおいて、
前記ムービングプレートは、前記保持孔が開口された奥壁の周縁に前方を向いた周壁が形成された形状であって、
前記ムービングプレートの前記奥壁における表裏いずれか一方の面では、前記保持孔が形成された領域内でかつ各保持孔の開口位置付近は除いた位置に厚肉の補強部が形成されるとともに、この補強部が形成された前記奥壁の面と当接する相手ハウジングの当接面には、前記補強部を嵌めて逃がす凹部が形成されていることを特徴とするコネクタ。
【請求項２】
前記補強部は、前記相手ハウジングにおける端子金具を収容するためのキャビティの外側領域と対応した領域に形成されていることを特徴とする請求項１記載のコネクタ。
【発明の詳細な説明】
【０００１】
【発明の属する技術分野】
本発明は、ムービングプレートを備えたコネクタに関する。
【０００２】
【従来の技術】
ムービングプレートを備えたコネクタは、雄ハウジングのフード部内に突出した雄側端子金具のタブを正確に整列し、またタブが外力で変形するのを阻止すること等を意図して形成されており、例えば特開平１１−６７３３８号等に開示されている。具体的には、ムービングプレートは、雄側端子金具のタブが貫通される保持孔を有し、フード部内に両ハウジングの嵌合方向に沿って移動可能に挿入されており、初めはタブの先端を保持孔に臨ませる程度でフード部の開口側に装着され、雄ハウジングのフード部内に相手の雌ハウジングが嵌合されると、タブが保持孔内を相対的に進入してムービングプレートがフード部の奥方に移動しつつ、雌雄の対向した端子金具同士が接続されるようになっている。
【０００３】
【発明が解決しようとする課題】
しかるにこのようにムービングプレートを備えた構造であると、両ハウジングが正規嵌合して雄側端子金具のタブが雌ハウジング内に進入する場合に、雌ハウジングの嵌合面が直に雄ハウジングの嵌合面に当接したときと比較すると、ムービングプレートの厚さ分だけ、雌ハウジング内へのタブの進入長さが短くなる。言い換えると、タブと相手の雌側端子金具との接触代が減少し、接触の信頼性を考慮すると、改良の余地が残されていた。
本発明は上記のような事情に基づいて完成されたものであって、その目的は、ムービングプレートの剛性を確保した上で、端子接触代の減少を抑えるところにある。
【０００４】
【課題を解決するための手段】
上記の目的を達成するための手段として、請求項１の発明は、フード部を有し雄側端子金具がそのタブを前記フード部内に突出させた状態で収容された雄ハウジングと、前記フード部内に嵌合可能で雌側端子金具が収容された雌ハウジングと、前記雄側端子金具のタブが貫通される保持孔が複数開口され前記フード部内に前記両ハウジングの嵌合方向に沿って移動可能に挿入されたムービングプレートとを具備したコネクタにおいて、前記ムービングプレートは、前記保持孔が開口された奥壁の周縁に前方を向いた周壁が形成された形状であって、前記ムービングプレートの前記奥壁における表裏いずれか一方の面では、前記保持孔が形成された領域内でかつ各保持孔の開口位置付近は除いた位置に厚肉の補強部が形成されるとともに、この補強部が形成された前記奥壁の面と当接する相手ハウジングの当接面には、前記補強部を嵌めて逃がす凹部が形成されているところに特徴を有する。
請求項２の発明は、請求項１に記載のものにおいて、前記補強部は、前記相手ハウジングにおける端子金具を収容するためのキャビティの外側領域と対応した領域に形成されているところに特徴を有する。
【０００５】
【発明の作用及び効果】
＜請求項１の発明＞
両ハウジングが正規嵌合されたときには、ムービングプレートは、補強部を相手ハウジングの凹部に嵌めて逃がしつつ、両ハウジングの嵌合面の間に密着状に挟まれた状態となる。ここで、保持孔の開口位置付近は薄肉に形成されているから、タブがムービングプレート中に取られる寸法を小さくでき、したがってタブが雌ハウジング内に進入する長さ、すなわち雌側端子金具との間の接触代が減少するのを抑えることができる。その結果、雌雄の端子金具間の接触の信頼性を高めることができる。一方、削成されず残された厚肉の部分が補強機能を発揮して、ムービングプレートの剛性は確保される。
【０００６】
＜請求項２の発明＞
ムービングプレートの補強部が、相手ハウジングにおけるキャビティの外側領域と対応した領域に形成されているから、相手ハウジングの当接面に逃がし用の凹部を設けるに当たっては、当然にキャビティの外側の領域のみで足りる。したがってキャビティについては、それを小さくする等の形状変更は要しない。
【０００７】
【発明の実施の形態】
以下、本発明の一実施形態を図１ないし図７に基づいて説明する。
この実施形態ではレバー式コネクタを例示しており、図１ないし図３に示すように、互いに嵌合される雄側のコネクタハウジング１０（以下、雄ハウジングという）と、雌側のコネクタハウジング２０（以下、雌ハウジングという）とを有しており、雄ハウジング１０には、嵌合操作用のレバー３０と、端子整列用のムービングプレート５０とが備えられている。
なお以下では、それぞれのハウジング１０，２０について嵌合面側を前面として説明する。
【０００８】
雄ハウジング１０は一部分割のハイブリッド形式であって、合成樹脂材により本体部１１の前面にフード部１２を設けた形状に形成されている。図３に示すように、本体部１１の高さ方向の中央部にはキャビティ１３が直接に形成され、大型の雄側端子金具１５Ｌが後方から挿入されている。一方、上下両端部には収容孔１７が形成され、小型の雄側端子金具１５Ｓをキャビティ１８Ａ内に挿入した別体のサブハウジング１８が収容されている。両サブハウジング１８は、その前面が雄ハウジング１０の嵌合面１０Ａと面一となって収容される。
大小の雄側端子金具１５Ｌ，１５Ｓとも、それぞれのタブ１６Ｌ，１６Ｓがフード部１２内に同一の所定寸法突出されている。
なお以下において、大小の雄側端子金具１５Ｌ，１５Ｓ並びにそのタブ１６Ｌ，１６Ｓをまとめて説明する場合は、添え字を取って、雄側端子金具１５、タブ１６として適宜に記載する。
【０００９】
フード部１２内には、ムービングプレート５０が装着されている。ムービングプレート５０は合成樹脂製であって、奥壁５１と周壁５２とを備えたカップ状に形成されており、その奥壁５１には、図３に示すように、雄側端子金具１５Ｌ，１５Ｓのタブ１６Ｌ，１６Ｓをほぼ緊密に貫通させて真直姿勢に保持する保持孔５３が形成されている。このムービングプレート５０は、周壁５２をフード部１２の内周面に摺接させつつ、前後方向、すなわち両ハウジング１０，２０の嵌合方向に沿って移動可能となっている。
【００１０】
雌ハウジング２０は同じく合成樹脂材によりブロック状に形成され、上記した雄ハウジング１０のフード部１２内に装着されたムービングプレート５０の内側に嵌合可能となっている。この雌ハウジング２０も一部分割のハイブリッド形式であって、図１に示すように、高さ方向の中央部にはキャビティ２１が直接に形成され、大型の雌側端子金具（図示せず）が後方から挿入されている。一方、上下両端部には収容孔２２が形成され、小型の雌側端子金具２３（図３参照）をキャビティ２４Ａ内に挿入した別体のサブハウジング２４が収容されている。
【００１１】
雄ハウジング１０にはレバー３０が装着されている。レバー３０は同じく合成樹脂製であって、幅広の一対のアーム部３１の基端同士の間に操作部３２が渡された門形形状に形成されており、雄ハウジング１０の左右の側面を跨ぐようにして装着可能とされている。両アーム部３１の中央部には軸孔３３が開口され、これらの軸孔３３がフード部１２の左右の側面に立てられた軸３４に嵌合されることで、図２，３に示す始端位置と、図７に示す終端位置との間で回動可能に支持されている。
レバー３０の両アーム部３１には、所定形状のカム溝３５が形成され、その入口３６がアーム部３１の先端縁に開口している。
【００１２】
雌ハウジング２０の左右の側面には内側ピン２５が立てられているとともに、ムービングプレート５０の左右の側面には、上記の内側ピン２５を挿通可能な挿通溝５４が開口縁から切り込み形成されて、その奥端に外側ピン５５が立てられている（図４参照）。すなわち、雌ハウジング２０がムービングプレート５０の奥端まで嵌合されると、内側ピン２５が挿通溝５４を通って外側ピン５５の内部に嵌まり込み、両ピン２５，５５が一体となってフォロワピン５６が形成されるようになっている。なお、雄ハウジング１０のフード部１２の左右の面には、一体となったフォロワピン５６が進入可能な前後方向の進入溝４０が切られている（図２参照）。
【００１３】
レバー３０の両アーム部３１におけるカム溝３５の形成位置と反対側の先端側には、撓み変形可能な片持ち状の仮係止片３７が形成されている。一方、フード部１２の左右の側面には、前縁に開口した前後方向のガイド溝４２が形成され、図２に示すように、このガイド溝４２に仮係止片３７が弾性的に嵌まることで、レバー３０が始端位置に回り止めされて仮保持されるようになっている。レバー３０が始端位置にある状態では、カム溝３５の入口３６が、進入溝４０と整合して前方に開口している。
また、雌ハウジング２０の左右両面には、上記のガイド溝４２内に進入可能なリブ２６が形成され、このリブ２６の進入に伴って仮係止片３７が強制的に撓み変形されつつガイド溝４２の外側に抜け、アーム部３１すなわちレバー３０の回動が許容されるようになっている。なお、ムービングプレート５０の左右両側面には、リブ２６の逃がし溝５８が形成されている。
【００１４】
レバー３０と雌ハウジング２０との間には、レバー３０が終端位置に回動された場合にこれをロックするロック機構部が設けられている。そのため、レバー３０における操作部３２の中央部にはロック片３８が設けられ、このロック片３８は、間にロック溝３９を有して片持ちの撓み変形可能に形成されている。一方、雌ハウジング２０の上面の後縁における横幅方向の中央部には、上記したロック片３８のロック溝３９に嵌合可能なロック突部２８が形成されている。
【００１５】
さてこの実施形態では、ムービングプレート５０における保持孔５３の開口された奥壁５１の形状に変更が加えられている。すなわち、図３及び図４に示すように、奥壁５１の肉厚が元々（ｔ1 ）であったところを、この奥壁５１の正面から見た裏側の面（図３の右側の面）において、中央における大型の雄側端子金具１５Ｌのタブ１６Ｌの保持孔５３が集合した長方形状の領域６０Ａと、その上下両側における小型の雄側端子金具１５Ｓのタブ１６Ｓの保持孔５３が集合した同じく長方形状の２つ領域６０Ｂとが、薄い肉厚（ｔ2 ）に削成されている。その回りの残った部分は、厚い肉厚（ｔ1 ）に留められて、補強リブ６１とされている。
一方、ムービングプレート５０の奥壁５１の裏面が当接する雄ハウジング１０の嵌合面１０Ａ（サブハウジング１８の前面を含む。以下同じ）には、図３及び図５に示すように、上記の補強リブ６１と対応した領域に、その補強リブ６１を嵌めて逃がす凹部６３が凹み形成されている。
【００１６】
本実施形態は上記のような構造であって、続いてその作用を説明する。
雄ハウジング１０にはレバー３０が始端位置に装着されるとともに、フード部１２内には、図３に示すように、ムービングプレート５０が開口縁側の所定位置に装着される。このとき、雄ハウジング１０の嵌合面１０Ａから突出した雄側端子金具１５のタブ１６は、ムービングプレート５０の奥壁５１の対応する保持孔５３を貫通して、手間側に若干量突出する。なお。ムービングプレート５０の外側ピン５５は、進入溝４０を通りつつカム溝３５の入口３６に進入している。
【００１７】
係る状態から図３の矢線に示すように、雌ハウジング２０が雄ハウジング１０のフード部１２内のムービングプレート５０内に嵌合される。雌ハウジング２０は、図６に示すように、その嵌合面２０Ａが、ムービングプレート５０の奥壁５１の正面から見た表面に当接するまで嵌合される。これに伴い、奥壁５１から手前に突出した雄側端子金具１５のタブ１６は、対応する雌ハウジング２０のキャビティ２１，２４Ａ内に前方から若干進入する。ただし、対応する雄雌の端子金具１５，２３は接触するには至らない。
【００１８】
それとともに、雌ハウジング２０の内側ピン２５が、進入溝４０並びに挿通溝５４を通りつつその奥端で待っている外側ピン５５の内側に嵌まり、一体のフォロワピン５６となって、カム溝３５の入口３６に位置した状態にある。また、仮係止片３７によるレバー３０の仮保持も解除される。
続いて、操作部３２に指を掛けて、レバー３０を図６の反時計回り方向に回動すると、フォロワピン５６が入口３６からカム溝３５の始端部に入り込み、両者３５，５６間のカム機能によって、雌ハウジング２０はムービングプレート５０ともども雄ハウジング１０のフード部１２内に次第に引き込まれる。
【００１９】
そして、図７に示すように、レバー３０が終端位置まで回動されると、両ハウジング１０，２０が正規に嵌合され、このときムービングプレート５０は、補強リブ６１を雄ハウジング１０の嵌合面１０Ａの凹部６３に嵌めて逃がしつつ、両ハウジング１０，２０の嵌合面１０Ａ，２０Ａの間に密着状に挟まれた状態となる。それに伴い、雄側端子金具１５のタブ１６が雌ハウジング２０内に大きく進入し、相手の雌側端子金具２３と接触されることになる。
なお、レバー３０が終端位置に回動されると、ロック片３８がロック突部２８を撓み変形しつつ乗り越して、そのロック溝３９にロック突部２８が嵌合し、これによりレバー３０が戻り不能にロックされ、それに伴い両ハウジング１０，２０が正規の嵌合状態にロックされる。
【００２０】
以上説明したように本実施形態によれば、ムービングプレート５０の奥壁５１における保持孔５３の開口位置付近の領域６０Ａ，６０Ｂは薄肉に形成されているから、それだけ雄側端子金具１５のタブ１６がムービングプレート５０の奥壁５１中に取られる寸法が小さくなり、したがってタブ１６が雌ハウジング２０内に進入する長さ、すなわち雌側端子金具２３との間の接触代が減少するのを抑えることができる。その結果、雄雌の端子金具１５，２３間の接触の信頼性を高めることができる。一方、削成されずに残された厚肉の補強リブ６１が補強機能を発揮して、ムービングプレート５０の奥壁５１の剛性は確保される。
【００２１】
ムービングプレート５０の奥壁５１における補強リブ６１は、雄ハウジング１０におけるキャビティ（直接に形成されたキャビティ１３とサブハウジング１８内のキャビティ１８Ａを含む）が設けられた位置の外側の領域と対応した領域に形成されているから、雄ハウジング１０の嵌合面１０Ａに補強リブ６１の逃がし用の凹部６３を設けるに当たっては、当然にキャビティ１３，１８Ａが設けられ位置の外側の領域のみで足りる。したがって、雄ハウジング１０に直に形成されたキャビティ１３とサブハウジング１８内のキャビティ１８Ａはともに、それを小さくする等の形状変更は要しない。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、ムービングプレートの底壁に対して薄肉部分を形成するに当たり、雄ハウジングの嵌合面と対向した底壁の裏面側を削成した場合を例示したが、これとは逆に、雌ハウジングの嵌合面と対向した底壁の表面側を削成してもよい。その場合は、底壁の表面側に補強リブが形成されることになるから、雌ハウジングの嵌合面に対して補強リブを嵌めて逃がす凹部を設ければよい。
（２）コネクタハウジングは、別体のサブハウジングを挿入する分割型ではなく、直接にキャビティを形成した通常のものであってもよい。
（３）本発明は、レバーを使用しないムービングプレート付きのコネクタにも同様に適用可能である。
【図面の簡単な説明】
【図１】本発明の一実施形態に係る両ハウジングの嵌合前の状態の斜視図
【図２】その一部切欠側面図
【図３】その縦断面図
【図４】ムービングプレートの背面図
【図５】雄ハウジングの正面図
【図６】両ハウジングの嵌合初期状態の縦断面図
【図７】両ハウジングが正規嵌合された状態の縦断面図
【符号の説明】
１０…雄ハウジング
１０Ａ…嵌合面（当接面）
１１…本体部
１２…フード部
１３…キャビティ
１５Ｌ，１５Ｓ…雄側端子金具
１６Ｌ，１６Ｓ…タブ
１８…サブハウジング
１８Ａ…キャビティ
２０…雌ハウジング
２３…雌側端子金具
５０…ムービングプレート
５１…奥壁
５３…保持孔
６０Ａ，６０Ｂ…（薄肉の）領域
６１…補強リブ（補強部）
６３…凹部
【図１】
0003804524.tif 000002
【図２】
0003804524.tif 000003
【図３】
0003804524.tif 000004
【図４】
0003804524.tif 000005
【図５】
0003804524.tif 000006
【図６】
0003804524.tif 000007
【図７】
0003804524.tif 000008